(57)【要約】【課題】端子を外部に突出させながら、異物等の侵入を抑制することが可能なインバータ装置を提供する。【解決手段】このインバータ装置１００では、カバー部材３０は、カバー部材開口部３１に外部接続端子２０を貫通させる際に、貫通方向（Ｚ方向）から見て、略長方形状を有するカバー部材開口部３１の長辺の大きさＬ３１が、略長方形状を有する外部接続端子２０の長辺の大きさＬ２１よりも小さくなるように構成されている。【選択図】図２
2020155311.tif 000002
【特許請求の範囲】
【請求項１】
導電性を有する板状の端子と、
前記端子の一部を外部に突出させるための第１開口部が形成された筐体と、
前記端子を貫通させるための第２開口部が形成されるとともに、前記第１開口部を覆うように設けられる弾性を有するシート状の絶縁性のカバー部材と、
を備え、
前記カバー部材は、略長方形状を有する前記第２開口部の長辺の大きさが、略長方形状を有する前記端子の長辺の大きさよりも小さくなるか、前記第２開口部の短辺の大きさが、前記端子の短辺の大きさよりも小さくなるか、の少なくともいずれかとなるように構成されている、電子機器。
【請求項２】
前記カバー部材は、前記第２開口部に前記端子を貫通させる際に前記カバー部材を湾曲させるための切り込みを含む、請求項１に記載の電子機器。
【請求項３】
前記切り込みは、前記カバー部材が湾曲する部分の近傍に形成されている、請求項２に記載の電子機器。
【請求項４】
前記切り込みは、前記第２開口部の４隅に設けられている、請求項２または３に記載の電子機器。
【請求項５】
前記カバー部材は、前記第２開口部の長辺の大きさが、前記端子の長辺の大きさよりも小さくなるように構成されており、
前記切り込みは、前記第２開口部の長辺方向に沿うように設けられている、請求項２〜４のいずれか１項に記載の電子機器。
【請求項６】
前記カバー部材は、前記第２開口部の短辺の大きさが、前記端子の短辺の大きさよりも小さくなるように構成されており、
前記切り込みは、前記第２開口部の短辺方向に沿うように設けられている、請求項２〜４のいずれか１項に記載の電子機器。
【請求項７】
前記第２開口部の長辺および短辺のうち、前記第２開口部に前記端子を貫通させる貫通方向の一方に前記カバー部材が湾曲しない方向に沿った辺の大きさは、前記端子の寸法公差の最大値に設定されている、請求項１〜６のいずれか１項に記載の電子機器。
【請求項８】
前記端子は、前記カバー部材が湾曲する部分に対応する位置に、前記カバー部材の前記第２開口部側の端部が挿入される凹部を含む、請求項１〜７のいずれか１項に記載の電子機器。
【請求項９】
前記端子は、互いに隣り合うように複数設けられ、
前記カバー部材は、前記複数の端子のそれぞれに対応するように複数設けられ、
前記複数の端子が前記第２開口部に貫通するとともに前記カバー部材が前記第１開口部を覆うように設けられた状態で前記複数のカバー部材の互いに隣り合う部分が、前記第２開口部に前記端子を貫通させる貫通方向から見て、オーバラップするように構成されている、請求項１〜８のいずれか１項に記載の電子機器。
【発明の詳細な説明】
【技術分野】
【０００１】
この発明は、電子機器に関し、特に、端子の一部を外部に突出させるための開口部が形成された筐体を備える電子機器に関する。
【背景技術】
【０００２】
従来、端子の一部を外部に突出させるための開口部が形成された筐体を備える電子機器が開示されている（たとえば、特許文献１参照）。
【０００３】
上記特許文献１には、箱状のケース（筐体）と、固定台と、基板と、箱状のケースの開口を覆う蓋状のカバー（カバー部材）と、を備えた電子機器が開示されている。ケースには、固定台および基板が収納されている。固定台には、基板が固定されている。基板の上面には、上方に延びるコネクタ（端子）が設けられている。コネクタの先端側の一部は、カバーに設けられた開口からケースの外部に突出するように配置されている。具体的には、カバーには、コネクタが貫通するように、平面視において、コネクタの外縁を取り囲むように、コネクタよりも大きい開口が形成されている。また、カバーに形成された開口とコネクタとの隙間には、リング状のシール部材が配置されている。これにより、カバーに形成された開口とコネクタとの隙間から筐体の内部に異物が侵入するのが抑制されている。なお、上記特許文献１には記載されていないが、上記特許文献１の電子機器では、カバーは、筐体に対して固定されていると考えられる。
【先行技術文献】
【特許文献】
【０００４】
【特許文献１】特開２０１７−１２３７６４号公報
【発明の概要】
【発明が解決しようとする課題】
【０００５】
ここで、上記特許文献１には記載されていないが、特許文献１に記載のような従来の電子機器では、コネクタとカバーと筐体との組み立て公差などを考慮して、カバーの開口は、多少大きめに形成されていると考えられる。このため、カバーに形成された開口とコネクタとの隙間にリング状のシール部材を設けた場合でも、カバーに形成された開口とコネクタとの隙間が完全に封鎖されない場合がある。このため、カバーに形成された開口とコネクタとの隙間から、異物等が侵入する場合があるという問題点が考えられる。
【０００６】
この発明は、上記のような課題を解決するためになされたものであり、この発明の１つの目的は、端子を外部に突出させながら、異物等の侵入を抑制することが可能な電子機器を提供することである。
【課題を解決するための手段】
【０００７】
上記目的を達成するために、この発明の一の局面による電子機器は、導電性を有する板状の端子と、端子の一部を外部に突出させるための第１開口部が形成された筐体と、端子を貫通させるための第２開口部が形成されるとともに、第１開口部を覆うように設けられる弾性を有するシート状の絶縁性のカバー部材と、を備え、カバー部材は、略長方形状を有する第２開口部の長辺の大きさが、略長方形状を有する端子の長辺の大きさよりも小さくなるか、第２開口部の短辺の大きさが、端子の短辺の大きさよりも小さくなるか、の少なくともいずれかとなるように構成されている。
【０００８】
この発明の一の局面による電子機器では、上記のように、カバー部材は、略長方形状を有する第２開口部の長辺の大きさが、略長方形状を有する端子の長辺の大きさよりも小さくなるか、第２開口部の短辺の大きさが、端子の短辺の大きさよりも小さくなるか、の少なくともいずれかとなるように構成されている。これにより、第２開口部に端子を貫通させる際に湾曲するカバー部材の部分により、カバー部材を端子に対して固定することができる。したがって、カバー部材が端子に対して直接固定されるので、カバー部材が筐体に対して固定される場合と異なり、カバー部材および端子と、筐体との組み立て公差を考慮する必要がない。すなわち、この組み立て公差を考慮する必要がない分、第２開口部の大きさを小さくすることができるので、端子とカバー部材の第２開口部との間の隙間から、異物等が侵入するのを抑制することができる。その結果、端子を外部に突出させながら、異物等の侵入を抑制することができる。
【０００９】
また、従来のように、カバー部材が筐体に対して固定される場合、作業者が端子に触れた際に、端子が移動することに起因して、端子とカバー部材とが接触する。これに対して、この発明の一の局面による電子機器では、カバー部材が端子に対して直接固定されるので、作業者が端子に触れた場合でも、端子とともにカバー部材が移動する。これにより、端子とカバー部材とが接触することに起因する端子（または、カバー部材）の破損を抑制することができる。
【００１０】
上記一の局面による電子機器において、好ましくは、カバー部材は、第２開口部に端子を貫通させる際にカバー部材を湾曲させるための切り込みを含む。このように構成すれば、切り込みを用いて、カバー部材を容易に湾曲させることができる。
【００１１】
この場合、好ましくは、切り込みは、カバー部材が湾曲する部分の近傍に形成されている。このように構成すれば、切り込みがカバー部材の湾曲する部分の近傍に形成されているので、カバー部材をより容易に湾曲させることができる。
【００１２】
上記カバー部材が切り込みを含む構成において、好ましくは、切り込みは、第２開口部の４隅に設けられている。このように構成すれば、第２開口部の長辺側の端部および短辺側の端部のいずれが湾曲する場合でも、カバー部材の湾曲する部分を切り込みに挟まれるように配置することができるので、カバー部材を確実に湾曲させることができる。
【００１３】
上記カバー部材が切り込みを含む構成において、好ましくは、カバー部材は、第２開口部の長辺の大きさが、端子の長辺の大きさよりも小さくなるように構成されており、切り込みは、第２開口部の長辺方向に沿うように設けられている。このように構成すれば、カバー部材に端子を貫通させることにより、端子の長辺方向の一方側と他方側とにおいて、切り込みに囲まれたカバー部材の部分（第２開口部の短辺に対応する部分）が湾曲する。その結果、端子の長辺方向の両側がカバー部材の湾曲による力によって固定されるので、端子に対してカバー部材を効果的に固定することができる。
【００１４】
上記カバー部材が切り込みを含む構成において、好ましくは、カバー部材は、第２開口部の短辺の大きさが、端子の短辺の大きさよりも小さくなるように構成されており、切り込みは、第２開口部の短辺方向に沿うように設けられている。このように構成すれば、カバー部材に端子を貫通させることにより、端子の短辺方向の一方側と他方側とにおいて、切り込みに囲まれたカバー部材の部分（第２開口部の長辺に対応する部分）が湾曲する。その結果、端子の短辺方向の両側がカバー部材の湾曲による力によって固定されるので、端子に対してカバー部材を効果的に固定することができる。また、カバー部材の第２開口部の長辺に対応する部分は、比較的長いので、カバー部材の第２開口部の短辺に対応する部分によってカバー部材を固定する場合と比べて、より安定して、端子に対してカバー部材を固定することができる。
【００１５】
上記一の局面による電子機器において、好ましくは、第２開口部の長辺および短辺のうち、第２開口部に端子を貫通させる貫通方向の一方にカバー部材が湾曲しない方向に沿った辺の大きさは、端子の寸法公差の最大値に設定されている。このように構成すれば、カバー部材が湾曲しない方向に沿った辺に対応する第２開口部の辺において、カバー部材と端子との間の隙間が大きくなるのを確実に抑制することができる。
【００１６】
上記一の局面による電子機器において、好ましくは、端子は、カバー部材が湾曲する部分に対応する位置に、カバー部材の第２開口部側の端部が挿入される凹部を含む。このように構成すれば、カバー部材が第１開口部を覆う位置にカバー部材を配置させた場合に、カバー部材が湾曲する部分を、端子の凹部に挿入することができる。その結果、カバー部材が湾曲する部分が端子の凹部に挿入されているので、カバー部材に意図しない圧力が作用した場合に、カバー部材が端子から外れてしまうのを抑制することができる。
【００１７】
上記一の局面による電子機器において、好ましくは、端子は、互いに隣り合うように複数設けられ、カバー部材は、複数の端子のそれぞれに対応するように複数設けられ、複数の端子が第２開口部に貫通するとともにカバー部材が第１開口部を覆うように設けられた状態で複数のカバー部材の互いに隣り合う部分が、第２開口部に端子を貫通させる貫通方向から見て、オーバラップするように構成されている。このように構成すれば、カバー部材は、複数の端子のそれぞれに対応するように複数設けられているので、第２開口部におけるカバー部材と端子との間の隙間を、１つの端子の寸法公差の最大値に設定することができる。その結果、カバー部材が複数の端子に対応するように設けられる場合と比較して、筐体に対して互いに別々に固定される複数の端子同士の組み立て公差を考慮する必要がないので、第２開口部におけるカバー部材と端子との間の隙間が大きくなるのをより抑制することができる。また、複数のカバー部材の互いに隣り合う部分が貫通方向から見てオーバラップするので、複数の端子のそれぞれにカバー部材を設けた場合でも、複数のカバー部材同士の間に隙間が生じるのを抑制しながら、カバー部材により第１開口部を覆うことができる。
【発明の効果】
【００１８】
本発明によれば、上記のように、端子を外部に突出させながら、異物等の侵入を抑制することができる。
【図面の簡単な説明】
【００１９】
【図１】本発明の第１実施形態によるインバータ装置の外観を示した斜視図である。
【図２】本発明の第１実施形態によるインバータ装置の外部接続端子が突出する様子を示した斜視図である。
【図３】本発明の第１実施形態によるインバータ装置の外部接続端子が突出する筐体開口部を説明するための斜視図である。
【図４】本発明の第１実施形態によるインバータ装置の外部接続端子を説明するための斜視図である。
【図５】本発明の第１実施形態によるインバータ装置の筐体開口部を覆うように設けられるカバー部材を説明するための平面図である。
【図６】本発明の第１実施形態によるインバータ装置の外部接続端子にカバー部材を貫通させる様子を示した斜視図である。
【図７】本発明の第１実施形態によるインバータ装置の外部接続端子にカバー部材を貫通させる様子を正面断面図である。
【図８】本発明の第１実施形態によるインバータ装置の筐体開口部を覆うようにカバー部材を配置させた様子を示した斜視図である。
【図９】本発明の第１実施形態によるインバータ装置の筐体開口部を覆うようにカバー部材を配置させた様子を示した正面断面図である。
【図１０】本発明の第２実施形態によるインバータ装置の外部接続端子が突出する様子を示した斜視図である。
【図１１】本発明の第２実施形態によるインバータ装置の筐体開口部を覆うように設けられるカバー部材を説明するための平面図である。
【図１２】本発明の第３実施形態によるインバータ装置の外部接続端子が突出する様子を示した斜視図である。
【図１３】本発明の第３実施形態によるインバータ装置の筐体開口部を覆うように設けられるカバー部材を説明するための平面図である。
【図１４】本発明の第４実施形態によるインバータ装置の外部接続端子が突出する様子を示した斜視図である。
【図１５】本発明の第４実施形態によるインバータ装置の外部接続端子を説明するための斜視図である。
【図１６】本発明の第４実施形態によるインバータ装置の外部接続端子のスリットにカバー部材を挿入する前の状態を示した正面断面図である。
【図１７】本発明の第４実施形態によるインバータ装置の外部接続端子のスリットにカバー部材を挿入した状態を示した正面断面図である。
【発明を実施するための形態】
【００２０】
以下、本発明を具体化した実施形態を図面に基づいて説明する。
【００２１】
［第１実施形態］
図１〜図９を参照して、本発明の第１実施形態によるインバータ装置１００の構成について説明する。なお、インバータ装置１００は、特許請求の範囲の「電子機器」の一例である。
【００２２】
図１に示すように、インバータ装置１００は、筐体１０と、外部接続端子２０と、カバー部材３０と、を備えている。なお、外部接続端子２０は、特許請求の範囲の「端子」の一例である。
【００２３】
筐体１０は、上下方向（Ｚ方向）に延びる略直方体形状を有する。筐体１０は、筐体１０の下部に設けられた車輪を介して、設置面（図示しない）に設置されている。筐体１０は、外部接続端子２０を内部で固定した状態で収納している。図２に示すように、筐体１０の上部の前側（Ｙ１側）には、水平面（ＸＹ平面）に延びるように、筐体開口部１１ａ（図３参照）が形成された部分１１が配置されている。筐体開口部１１ａは、外部接続端子２０の一部を外部に突出させるため開口部である。なお、筐体開口部１１ａは、特許請求の範囲の「第１開口部」の一例である。
【００２４】
以下の説明では、筐体１０の上下方向、左右方向、前後方向を、それぞれ、Ｚ方向、Ｘ方向、Ｙ方向とする。また、筐体１０の上方向（上側）、下方向（下側）、左方向（左側）、右方向（右側）、前方向（前側）および後方向（後側）を、それぞれ、Ｚ１方向、Ｚ２方向、Ｘ１方向、Ｘ２方向、Ｙ１方向およびＹ２方向とする。
【００２５】
外部接続端子２０は、導電性を有する。外部接続端子２０は、上下方向（Ｚ方向）に延びるように、板状に形成されている。第１実施形態では、外部接続端子２０は、筐体１０が設置面に設置された状態で、外部接続端子２０の一部が、筐体１０の外部に上方向（Ｚ１方向）に突出するように構成されている。外部接続端子２０は、筐体１０から外部に突出した部分に、インバータ装置１００の外部の端子（図示しない）を接続するための開口２１が形成されている。インバータ装置１００では、外部接続端子２０は、互いに隣り合うように２つ設けられている。２つの外部接続端子２０は、互いに離間して、Ｘ方向に並ぶように配置されている。
【００２６】
カバー部材３０は、絶縁性を有する。カバー部材３０は、弾性を有するシート状に形成されている。図９に示すように、カバー部材３０は、部分１１の厚みｔ１と比較して薄い厚みｔ３を有する。カバー部材３０は、たとえば、ノーメックスである。図５に示すように、カバー部材３０には、外部接続端子２０を貫通させるためのカバー部材開口部３１が形成されている。図２に示すように、カバー部材３０は、外部接続端子２０がカバー部材開口部３１に貫通した状態で、筐体開口部１１ａ（図３参照）を覆うように設けられる。なお、カバー部材開口部３１は、特許請求の範囲の「第２開口部」の一例である。
【００２７】
カバー部材３０は、２つの外部接続端子２０のそれぞれに対応するように２つ設けられている。第１実施形態では、２つの外部接続端子２０がカバー部材開口部３１に貫通するとともにカバー部材３０が筐体開口部１１ａを覆うように設けられた状態で２つのカバー部材３０の互いに隣り合う部分３０ａが、カバー部材開口部３１に外部接続端子２０を貫通させる貫通方向（Ｚ方向）から見て、オーバラップするように構成されている。
【００２８】
ここで、第１実施形態では、カバー部材３０は、カバー部材開口部３１に外部接続端子２０を貫通させる際に、貫通方向（Ｚ方向）の一方（Ｚ１側）にカバー部材３０が湾曲するように構成されている。詳細には、カバー部材３０は、貫通方向（Ｚ方向）から見て、略長方形状を有するカバー部材開口部３１の長辺の大きさＬ３１（図５参照）が、略長方形状を有する外部接続端子２０の長辺の大きさＬ２１（図４参照）よりも小さくなるように構成されている。
【００２９】
具体的には、図４に示すように、外部接続端子２０は、Ｚ方向から見て、長辺の大きさＬ２１および短辺の大きさＬ２２の略長方形状を有する。また、図５に示すように、カバー部材開口部３１は、Ｚ方向から見て、長辺の大きさＬ３１および短辺の大きさＬ３２の略長方形状を有する。そして、カバー部材開口部３１の長辺の大きさＬ３１は、外部接続端子２０の長辺の大きさＬ２１よりも小さい。これにより、図６に示すように、カバー部材開口部３１に外部接続端子２０を貫通させる際に、カバー部材３０において、カバー部材開口部３１の短辺（Ｘ１側およびＸ２側の辺）に隣接する部分（湾曲部分３２）が湾曲する。なお、第１実施形態では、カバー部材開口部３１の長辺および短辺のうち、カバー部材開口部３１に外部接続端子２０を貫通させる貫通方向（Ｚ方向）の一方（Ｚ１側）にカバー部材３０が湾曲しない方向に沿った辺（短辺）の大きさＬ３２は、外部接続端子２０のＹ方向の寸法公差の最大値に設定されている。なお、湾曲部分３２は、特許請求の範囲の「（カバー部材３０が湾曲する）部分」の一例である。
【００３０】
また、図５に示すように、第１実施形態では、カバー部材３０は、カバー部材開口部３１に外部接続端子２０を貫通させる際にカバー部材３０を湾曲させるための切り込み３３を含む。そして、切り込み３３は、カバー部材開口部３１に外部接続端子２０を貫通させる際にカバー部材３０が湾曲する湾曲部分３２の近傍に形成されている。
【００３１】
具体的には、切り込み３３は、貫通方向（Ｚ方向）から見て、略長方形状のカバー部材開口部３１の４隅に、カバー部材開口部３１の長辺方向（Ｘ方向）に沿うように設けられている。すなわち、切り込み３３は、湾曲部分３２を挟み込むように、湾曲部分３２のＹ１側およびＹ２側に形成されている。また、湾曲部分３２と切り込み３３とは、カバー部材３０において、Ｘ１側およびＸ２側に形成されている。
【００３２】
また、図９に示すように、第１実施形態では、カバー部材３０は、貫通方向（Ｚ方向）の一方（Ｚ１側）に湾曲した状態で、カバー部材３０と外部接続端子２０とが接触するとともに、湾曲した方向（Ｚ１方向）にカバー部材３０に対して作用する反発力により、外部接続端子２０に対する相対位置が固定されるように構成されている。
【００３３】
具体的には、図６に示すように、カバー部材開口部３１に外部接続端子２０を貫通させる場合、カバー部材３０が、外部接続端子２０に対して、上側（Ｚ１側）から下側（Ｚ２側）に押し込まれる。なお、インバータ装置１００では、外部接続端子２０の上部のＸ１側およびＸ２側には、面取りされた角部２０ｂ（図４参照）が設けられているので、カバー部材開口部３１に外部接続端子２０を上側（Ｚ１側）から容易に貫通させることが可能である。図７に示すように、カバー部材開口部３１に外部接続端子２０を貫通している状態では、外部接続端子２０の側面２０ａのカバー部材開口部３１と接する部分には、カバー部材３０の湾曲部分３２から下方向（Ｚ２方向）の力が作用する。同時に、カバー部材３０の湾曲部分３２には、外部接続端子２０の側面２０ａから上方向（Ｚ１方向）の力が作用する。すなわち、カバー部材３０の湾曲部分３２と外部接続端子２０の側面２０ａとの間には、互いにの相対位置を維持するように、上下方向（Ｚ方向）の摩擦力が作用する。
【００３４】
そして、図８に示すように、カバー部材開口部３１に外部接続端子２０を貫通させた状態で、カバー部材３０が筐体開口部１１ａを覆う位置まで、カバー部材３０が、上側（Ｚ１側）から下側（Ｚ２側）に押し込まれる。図９に示すように、カバー部材３０が筐体開口部１１ａを覆う位置に配置されている状態では、カバー部材３０の下面３０ｂの一部が、部分１１と接触した状態（カバー部材３０の一部が部分１１に載置された状態）となる。これにより、インバータ装置１００では、カバー部材開口部３１に外部接続端子２０を貫通させた状態、かつ、カバー部材３０が筐体開口部１１ａを覆う状態で、カバー部材３０が筐体１０に対して固定される。
【００３５】
（第１施形態の効果）
第１実施形態では、以下のような効果を得ることができる。
【００３６】
第１実施形態では、上記のように、カバー部材３０を、カバー部材開口部３１に外部接続端子２０を貫通させる際に、カバー部材開口部３１が外部接続端子２０を貫通する貫通方向（Ｚ方向）の一方（Ｚ１側）にカバー部材３０が湾曲するように、貫通方向（Ｚ方向）から見て、略長方形状を有するカバー部材開口部３１の長辺の大きさＬ３１が、略長方形状を有する外部接続端子２０の長辺の大きさＬ２１よりも小さくなるように構成する。これにより、カバー部材開口部３１に外部接続端子２０を貫通させる際に湾曲するカバー部材３０の湾曲部分３２により、カバー部材３０を外部接続端子２０に対して固定することができる。したがって、カバー部材３０が外部接続端子２０に対して直接固定されるので、カバー部材３０が筐体１０に対して固定される場合と異なり、カバー部材３０および外部接続端子２０と、筐体１０との組み立て公差を考慮する必要がない。すなわち、この組み立て公差を考慮する必要がない分、カバー部材開口部３１の大きさを小さくすることができるので、外部接続端子２０とカバー部材３０のカバー部材開口部３１との間の隙間から、異物等が侵入するのを抑制することができる。その結果、外部接続端子２０を外部に突出させながら、異物等の侵入を抑制することができる。
【００３７】
また、従来のように、カバー部材３０が筐体１０に対して固定される場合、作業者が外部接続端子２０に触れた際に、外部接続端子２０が移動することに起因して、外部接続端子２０とカバー部材３０とが接触する。これに対して、第１実施形態では、カバー部材３０が外部接続端子２０に対して直接固定されるので、作業者が外部接続端子２０に触れた場合でも、外部接続端子２０とともにカバー部材３０が移動する。これにより、外部接続端子２０とカバー部材３０とが接触することに起因する外部接続端子２０（または、カバー部材３０）の破損を抑制することができる。
【００３８】
また、第１実施形態では、上記のように、カバー部材３０を、カバー部材開口部３１に外部接続端子２０を貫通させる際にカバー部材３０を湾曲させるための切り込み３３を含むように構成する。これにより、切り込み３３を用いて、カバー部材３０を容易に湾曲させることができる。
【００３９】
また、第１実施形態では、上記のように、切り込み３３を、カバー部材開口部３１に外部接続端子２０を貫通させる際にカバー部材３０が湾曲する湾曲部分３２の近傍に形成させる。これにより、切り込み３３がカバー部材３０の湾曲する湾曲部分３２の近傍に形成されているので、カバー部材３０をより容易に湾曲させることができる。
【００４０】
また、第１実施形態では、上記のように、切り込み３３を、貫通方向（Ｚ方向）から見て、略長方形状のカバー部材開口部３１の４隅に設ける。これにより、カバー部材開口部３１の短辺側の端部が湾曲する場合でも、カバー部材３０の湾曲する湾曲部分３２を切り込み３３に挟まれるように配置することができるので、カバー部材３０を確実に湾曲させることができる。
【００４１】
また、第１実施形態では、上記のように、カバー部材３０を、貫通方向（Ｚ方向）から見て、カバー部材開口部３１の長辺の大きさＬ３１が、外部接続端子２０の長辺の大きさＬ２１よりも小さくなるように構成する。そして、切り込み３３を、貫通方向（Ｚ方向）から見て、略長方形状のカバー部材開口部３１の４隅に、カバー部材開口部３１の長辺方向（Ｘ方向）に沿うように設ける。これにより、カバー部材３０に外部接続端子２０を貫通させることにより、外部接続端子２０の長辺方向の一方側（Ｘ１側）と他方側（Ｘ２側）とにおいて、切り込み３３に囲まれたカバー部材３０の部分（カバー部材開口部３１の短辺に対応する部分）が湾曲する。その結果、外部接続端子２０の長辺方向の両側がカバー部材３０の湾曲による力によって固定されるので、外部接続端子２０に対してカバー部材３０を効果的に固定することができる。
【００４２】
また、第１実施形態では、上記のように、カバー部材開口部３１の長辺および短辺のうち、カバー部材開口部３１に外部接続端子２０を貫通させる貫通方向（Ｚ方向）の一方（Ｚ１側）にカバー部材３０が湾曲しない方向に沿った辺（短辺）の大きさＬ３２を、外部接続端子２０の寸法公差の最大値に設定する。これにより、カバー部材３０が湾曲しない方向に沿った辺（短辺）に対応するカバー部材開口部３１の辺（短辺）において、カバー部材３０と外部接続端子２０との間の隙間が大きくなるのを確実に抑制することができる。
【００４３】
また、第１実施形態では、上記のように、カバー部材３０を、貫通方向（Ｚ方向）の一方（Ｚ１側）に湾曲した状態で、カバー部材３０と外部接続端子２０とが接触するとともに、湾曲した方向（Ｚ１方向）にカバー部材３０に対して作用する反発力により、外部接続端子２０に対する相対位置が固定されるように構成する。これにより、カバー部材３０と外部接続端子２０とを固定するための部材を別途設けることなく、反発力によって、カバー部材３０と外部接続端子２０とを固定することができる。その結果、部品点数が増加するのを抑制することができる。
【００４４】
また、第１実施形態では、上記のように、インバータ装置１００を、筐体１０が設置面に設置された状態で、外部接続端子２０の一部が、筐体１０の外部に上方向（Ｚ１方向）に突出するように構成する。そして、カバー部材３０を、カバー部材開口部３１に外部接続端子２０を貫通させる際に、外部接続端子２０の一部が筐体１０の外部に突出する上方向に湾曲するように構成する。これにより、カバー部材開口部３１に外部接続端子２０を貫通させた状態でカバー部材３０が筐体開口部１１ａを覆う位置にカバー部材３０を配置させた場合、カバー部材３０は筐体開口部１１ａを覆うように筐体開口部１１ａの上側（Ｚ１側）に配置（載置）されるので、カバー部材３０自身の重力により、カバー部材３０が筐体開口部１１ａを覆う位置から外れてしまうのを抑制することができる。
【００４５】
また、第１実施形態では、上記のように、外部接続端子２０を、互いに隣り合うように複数（２つ）設ける。また、カバー部材３０を、複数の外部接続端子２０のそれぞれに対応するように複数設ける。そして、インバータ装置１００を、複数の外部接続端子２０がカバー部材開口部３１に貫通するとともにカバー部材３０が筐体開口部１１ａを覆うように設けられた状態で複数のカバー部材３０の互いに隣り合う部分３０ａが、カバー部材開口部３１に外部接続端子２０を貫通させる貫通方向（Ｚ方向）から見て、オーバラップするように構成する。これにより、カバー部材３０は、複数の外部接続端子２０のそれぞれに対応するように複数設けられているので、カバー部材開口部３１におけるカバー部材３０と外部接続端子２０との間の隙間を、１つの外部接続端子２０の寸法公差の最大値に設定することができる。その結果、カバー部材３０が複数の外部接続端子２０に対応するように設けられる場合と比較して、筐体１０に対して互いに別々に固定される複数の外部接続端子２０同士の組み立て公差を考慮する必要がないので、カバー部材開口部３１におけるカバー部材３０と外部接続端子２０との間の隙間が大きくなるのをより抑制することができる。また、複数のカバー部材３０の互いに隣り合う部分３０ａが貫通方向（Ｚ方向）から見てオーバラップするので、複数の外部接続端子２０のそれぞれにカバー部材３０を設けた場合でも、複数のカバー部材３０同士の間に隙間が生じるのを抑制しながら、カバー部材３０により筐体開口部１１ａを覆うことができる。
【００４６】
［第２実施形態］
図１０および図１１を参照して、第２実施形態について説明する。この第２実施形態は、カバー部材開口部３１の長辺の大きさＬ３１が、略長方形状を有する外部接続端子２０の長辺の大きさＬ２１よりも小さくなるように構成した第１実施形態と異なり、カバー部材開口部２３１の短辺の大きさＬ２３２が、略長方形状を有する外部接続端子２０の短辺の大きさＬ２２よりも小さくなるように構成されている。なお、図中において、上記第１実施形態と同様の構成の部分には、同一の符号を付している。
【００４７】
図１０に示すように、本発明の第２実施形態によるインバータ装置２００は、カバー部材２３０を備えている。カバー部材２３０には、外部接続端子２０を貫通させるためのカバー部材開口部２３１（図１１参照）が形成されている。カバー部材２３０は、外部接続端子２０がカバー部材開口部２３１に貫通した状態で、筐体開口部１１ａを覆うように設けられる。なお、カバー部材開口部２３１は、特許請求の範囲の「第２開口部」の一例である。
【００４８】
ここで、第２実施形態では、カバー部材２３０は、カバー部材開口部２３１に外部接続端子２０を貫通させる際に、貫通方向（Ｚ方向）の一方（Ｚ１側）にカバー部材２３０が湾曲するように構成されている。詳細には、図１１に示すように、カバー部材２３０は、貫通方向（Ｚ方向）から見て、略長方形状を有するカバー部材開口部２３１の短辺の大きさＬ２３２が、略長方形状を有する外部接続端子２０の短辺の大きさＬ２２（図４参照）よりも小さくなるように構成されている。
【００４９】
具体的には、カバー部材開口部２３１は、Ｚ方向から見て、長辺の大きさＬ２３１および短辺の大きさＬ２３２の略長方形状を有する。そして、カバー部材開口部２３１の短辺の大きさＬ２３２は、外部接続端子２０の短辺の大きさＬ２２よりも小さい。これにより、図１０に示すように、カバー部材開口部２３１に外部接続端子２０を貫通させる際に、カバー部材２３０において、カバー部材開口部２３１の長辺（Ｙ１側およびＹ２側の辺）に隣接する部分（湾曲部分２３２）が湾曲する。なお、第２実施形態では、カバー部材開口部２３１の長辺および短辺のうち、カバー部材開口部２３１に外部接続端子２０を貫通させる貫通方向（Ｚ方向）の一方（Ｚ１側）にカバー部材２３０が湾曲しない辺（長辺）の大きさＬ２３１は、外部接続端子２０のＸ方向の寸法公差の最大値に設定されている。なお、湾曲部分２３２は、特許請求の範囲の「（カバー部材２３０が湾曲する）部分」の一例である。
【００５０】
また、図１１に示すように、第２実施形態では、カバー部材２３０は、カバー部材開口部２３１に外部接続端子２０を貫通させる際にカバー部材２３０を湾曲させるための切り込み２３３を含む。そして、切り込み２３３は、カバー部材開口部２３１に外部接続端子２０を貫通させる際にカバー部材２３０が湾曲する湾曲部分２３２の近傍に形成されている。
【００５１】
具体的には、切り込み２３３は、貫通方向（Ｚ方向）から見て、略長方形状のカバー部材開口部２３１の４隅に、カバー部材開口部２３１の短辺方向（Ｙ方向）に沿うように設けられている。すなわち、切り込み２３３は、湾曲部分２３２を挟み込むように、湾曲部分２３２のＸ１側およびＸ２側に形成されている。また、湾曲部分２３２と切り込み２３３とは、カバー部材２３０において、Ｙ１側およびＹ２側に形成されている。
【００５２】
なお、第２実施形態によるインバータ装置２００のその他の構成は、上記第１実施形態と同様である。
【００５３】
（第２実施形態の効果）
第２実施形態では、以下のような効果を得ることができる。
【００５４】
第２実施形態では、上記のように、カバー部材２３０を、カバー部材開口部２３１に外部接続端子２０を貫通させる際に、カバー部材開口部２３１が外部接続端子２０を貫通する貫通方向（Ｚ方向）の一方（Ｚ１側）にカバー部材２３０が湾曲するように、貫通方向（Ｚ方向）から見て、略長方形状を有するカバー部材開口部２３１の短辺の大きさＬ２３２が、略長方形状を有する外部接続端子２０の短辺の大きさＬ２２よりも小さくなるように構成する。これにより、カバー部材開口部２３１に外部接続端子２０を貫通させる際に湾曲するカバー部材２３０の湾曲部分２３２により、カバー部材２３０を外部接続端子２０に対して固定することができる。したがって、カバー部材２３０が外部接続端子２０に対して直接固定されるので、上記第１実施形態と同様に、カバー部材２３０および外部接続端子２０と、筐体１０との組み立て公差を考慮する必要がない。すなわち、この組み立て公差を考慮する必要がない分、カバー部材開口部２３１の大きさを小さくすることができるので、外部接続端子２０とカバー部材２３０のカバー部材開口部２３１との間の隙間から、異物等が侵入するのを抑制することができる。その結果、上記第１実施形態と同様に、外部接続端子２０を外部に突出させながら、異物等の侵入を抑制することができる。
【００５５】
また、第２実施形態では、上記のように、切り込み２３３を、貫通方向（Ｚ方向）から見て、略長方形状のカバー部材開口部２３１の４隅に設ける。これにより、カバー部材開口部２３１の長辺側の端部が湾曲する場合でも、カバー部材２３０の湾曲する湾曲部分２３２を切り込み２３３に挟まれるように配置することができるので、カバー部材２３０を確実に湾曲させることができる。
【００５６】
また、第２実施形態では、上記のように、カバー部材２３０を、貫通方向（Ｚ方向）から見て、カバー部材開口部２３１の短辺の大きさＬ２３２が、外部接続端子２０の短辺の大きさＬ２２よりも小さくなるように構成する。そして、切り込み２３３を、貫通方向（Ｚ方向）から見て、略長方形状のカバー部材開口部２３１の４隅に、カバー部材開口部２３１の短辺方向（Ｙ方向）に沿うように設ける。これにより、カバー部材２３０に外部接続端子２０を貫通させることにより、外部接続端子２０の短辺方向の一方側（Ｙ１側）と他方側（Ｙ２側）とにおいて、切り込み２３３に囲まれたカバー部材２３０の部分（カバー部材開口部２３１の長辺に対応する部分）が湾曲する。その結果、外部接続端子２０の短辺方向の両側がカバー部材２３０の湾曲による力によって固定されるので、外部接続端子２０に対してカバー部材２３０を効果的に固定することができる。また、カバー部材２３０のカバー部材開口部２３１の長辺に対応する部分は、比較的長いので、カバー部材２３０のカバー部材開口部２３１の短辺に対応する部分によってカバー部材２３０を固定する場合と比べて、より安定して、外部接続端子２０に対してカバー部材２３０を固定することができる。
【００５７】
また、第２実施形態では、上記のように、カバー部材開口部２３１の長辺および短辺のうち、カバー部材開口部２３１に外部接続端子２０を貫通させる貫通方向（Ｚ方向）の一方（Ｚ１側）にカバー部材２３０が湾曲しない方向に沿った辺（長辺）の大きさＬ２３１を、外部接続端子２０の寸法公差の最大値に設定する。これにより、上記第１実施形態と同様に、カバー部材２３０が湾曲しない方向に沿った辺（長辺）に対応するカバー部材開口部２３１の辺（長辺）において、カバー部材２３０と外部接続端子２０との間の隙間が大きくなるのを確実に抑制することができる。
【００５８】
なお、第２実施形態のその他の効果は、上記第１実施形態と同様である。
【００５９】
［第３実施形態］
図１２および図１３を参照して、第３実施形態について説明する。この第３実施形態は、カバー部材開口部３１の長辺の大きさＬ３１が、略長方形状を有する外部接続端子２０の長辺の大きさＬ２１よりも小さくなるように構成した第１実施形態と、カバー部材開口部２３１の短辺の大きさＬ２３２が、略長方形状を有する外部接続端子２０の短辺の大きさＬ２２よりも小さくなるように構成した第２実施形態とを組み合わせて構成されている。なお、図中において、上記第１および第２実施形態と同様の構成の部分には、同一の符号を付している。
【００６０】
図１２に示すように、本発明の第３実施形態によるインバータ装置３００は、カバー部材３３０を備えている。カバー部材３３０には、外部接続端子２０を貫通させるためのカバー部材開口部３３１（図１３参照）が形成されている。カバー部材３３０は、外部接続端子２０がカバー部材開口部３３１に貫通した状態で、筐体開口部１１ａを覆うように設けられる。なお、カバー部材開口部３３１は、特許請求の範囲の「第２開口部」の一例である。
【００６１】
ここで、第３実施形態では、カバー部材３３０は、カバー部材開口部３３１に外部接続端子２０を貫通させる際に、貫通方向（Ｚ方向）の一方（Ｚ１側）にカバー部材３３０が湾曲するように構成されている。詳細には、図１３に示すように、カバー部材３３０は、貫通方向（Ｚ方向）から見て、略長方形状を有するカバー部材開口部３３１の長辺の大きさＬ３１（図５参照）が、略長方形状を有する外部接続端子２０の長辺の大きさＬ２１（図４参照）よりも小さくなるように構成されている。また、カバー部材３３０は、貫通方向（Ｚ方向）から見て、略長方形状を有するカバー部材開口部３３１の短辺の大きさＬ２３２（図１１参照）が、略長方形状を有する外部接続端子２０の短辺の大きさＬ２２（図４参照）よりも小さくなるように構成されている。
【００６２】
具体的には、カバー部材開口部３３１は、Ｚ方向から見て、長辺の大きさＬ３１および短辺の大きさＬ２３２の略長方形状を有する。そして、カバー部材開口部３３１の長辺の大きさＬ３１は、外部接続端子２０の長辺の大きさＬ２１よりも小さい。また、カバー部材開口部３３１の短辺の大きさＬ２３２は、外部接続端子２０の短辺の大きさＬ２２よりも小さい。これにより、図１２に示すように、カバー部材開口部３３１に外部接続端子２０を貫通させる際に、カバー部材３３０において、カバー部材開口部３３１の短辺（Ｘ１側およびＸ２側の辺）に隣接する部分（湾曲部分３２）が湾曲するとともに、カバー部材開口部３３１の長辺（Ｙ１側およびＹ２側の辺）に隣接する部分（湾曲部分２３２）が湾曲する。
【００６３】
なお、第３実施形態によるインバータ装置３００のその他の構成は、上記第１および第２実施形態と同様である。
【００６４】
（第３実施形態の効果）
第３実施形態では、以下のような効果を得ることができる。
【００６５】
第３実施形態では、上記のように、カバー部材３３０を、カバー部材開口部３３１に外部接続端子２０を貫通させる際に、カバー部材開口部３３１が外部接続端子２０を貫通する貫通方向（Ｚ方向）の一方（Ｚ１側）にカバー部材３３０が湾曲するように、貫通方向（Ｚ方向）から見て、略長方形状を有するカバー部材開口部３３１の長辺の大きさＬ３１が、略長方形状を有する外部接続端子２０の長辺の大きさＬ２１よりも小さくなるように構成するとともに、略長方形状を有するカバー部材開口部３３１の短辺の大きさＬ２３２が、略長方形状を有する外部接続端子２０の短辺の大きさＬ２２よりも小さくなるように構成する。これにより、カバー部材開口部３３１に外部接続端子２０を貫通させる際に湾曲するカバー部材３３０の湾曲部分３２、２３２により、カバー部材３３０を外部接続端子２０に対して固定することができる。その結果、上記第１および第２実施形態と同様に、外部接続端子２０を外部に突出させながら、異物等の侵入を抑制することができる。
【００６６】
なお、第３実施形態のその他の効果は、上記第１および第２実施形態と同様である。
【００６７】
［第４実施形態］
図１４〜図１７を参照して、第４実施形態について説明する。この第４実施形態は、貫通方向（Ｚ方向）に直交する面内のカバー部材３０が湾曲する湾曲部分３２に対応する位置に、カバー部材３０のカバー部材開口部３１側の端部３０ｃが挿入されるスリット４２２を含むように構成されている。なお、図中において、上記第１実施形態と同様の構成の部分には、同一の符号を付している。
【００６８】
図１４に示すように、本発明の第４実施形態によるインバータ装置４００は、外部接続端子４２０を備えている。なお、外部接続端子４２０は、特許請求の範囲の「端子」の一例である。
【００６９】
ここで、第４実施形態では、外部接続端子４２０は、カバー部材３０のカバー部材開口部３１側の端部３０ｃ（図１７参照）が挿入されるスリット４２２（図１５参照）を含む。スリット４２２は、カバー部材３０が筐体開口部１１ａを覆うように設けられた場合の、貫通方向（Ｚ方向）に直交する面内（ＸＹ平面）のカバー部材３０が湾曲する湾曲部分３２に対応する位置に形成されている。なお、スリット４２２は、特許請求の範囲の「凹部」の一例である。
【００７０】
具体的には、図１５に示すように、外部接続端子４２０のＸ方向の側面４２０ａには、スリット４２２が形成されている。スリット４２２は、外部接続端子４２０のＸ１側およびＸ２側に設けられている。図１６に示すように、スリット４２２は、カバー部材３０が筐体開口部１１ａを覆うように設けられた状態で、カバー部材３０が湾曲する湾曲部分３２に対応するように、スリット４２２の下面４２２ａが、部分１１の上面１１ｂと略同じ高さ位置となるように形成されている。
【００７１】
また、第４実施形態では、カバー部材３０は、カバー部材３０の湾曲する湾曲部分３２が、スリット４２２に挿入された状態で湾曲が解除されるとともに、カバー部材３０の湾曲が解除された状態において、カバー部材３０の湾曲していた湾曲部分３２が、スリット４２２の内部に留まるように構成されている。
【００７２】
具体的には、カバー部材３０が筐体開口部１１ａを覆うように設けられ、かつ、カバー部材３０の湾曲部分３２が湾曲した状態（図１６の状態）では、カバー部材３０の湾曲部分３２が、外部接続端子４２０の側面４２０ａに接している。そして、カバー部材３０の湾曲部分３２が湾曲した状態（図１６の状態）から、湾曲部分３２を下方向（Ｚ２方向）に押し込むと、カバー部材３０の湾曲部分３２がスリット４２２に挿入された状態（図１７の状態）となる。
【００７３】
図１７に示すように、カバー部材３０の湾曲部分３２がスリット４２２に挿入された状態では、カバー部材３０の湾曲部分３２は湾曲が解除されている。また、カバー部材３０の湾曲部分３２のスリット４２２側の端部３０ｃが、外部接続端子４２０の側面４２０ａよりも内側（外部接続端子４２０側）に配置された状態となる。そして、上方向（Ｚ１方向）に引き出す力が作用しない場合、カバー部材３０の湾曲部分３２がスリット４２２に挿入された状態が維持される。
【００７４】
なお、カバー部材３０の湾曲部分３２の湾曲が解除された状態では、カバー部材３０の湾曲部分３２のスリット４２２側の端部３０ｃと、スリット４２２の湾曲部分３２と対向する面４２２ｃとの間には、大きさＬ４２４の隙間が形成されている。大きさＬ４２４の隙間は、カバー部材開口部３１のＸ方向の大きさを、外部接続端子４２０の寸法公差に基づいて設定した結果生じた隙間である。これにより、インバータ装置４００では、カバー部材３０と外部接続端子４２０との水平面（ＸＹ平面）内の相対位置が比較的小さい範囲に規制される。
【００７５】
なお、第４実施形態によるインバータ装置４００のその他の構成は、上記第１実施形態と同様である。
【００７６】
（第４実施形態の効果）
第４実施形態では、以下のような効果を得ることができる。
【００７７】
第４実施形態では、上記のように、外部接続端子４２０を、カバー部材３０が筐体開口部１１ａを覆うように設けられた場合の、貫通方向（Ｚ方向）に直交する面内のカバー部材３０が湾曲する湾曲部分３２に対応する位置に、カバー部材３０のカバー部材開口部３１側の端部３０ｃが挿入されるスリット４２２を含むように構成する。これにより、カバー部材３０が筐体開口部１１ａを覆う位置にカバー部材３０を配置させた場合に、カバー部材３０が湾曲する湾曲部分３２を、外部接続端子４２０のスリット４２２に挿入することができる。その結果、カバー部材が湾曲する湾曲部分３２が外部接続端子４２０のスリット４２２に挿入されているので、カバー部材３０に意図しない圧力が作用した場合に、カバー部材３０が外部接続端子４２０から外れてしまうのを抑制することができる。
【００７８】
また、第４実施形態では、上記のように、カバー部材３０を、カバー部材３０の湾曲する湾曲部分３２が、スリット４２２に挿入された状態で湾曲が解除されるとともに、カバー部材３０の湾曲が解除された状態において、カバー部材３０の湾曲していた湾曲部分３２が、スリット４２２の内部に留まるように構成する。これにより、カバー部材３０の湾曲する湾曲部分３２がスリット４２２に挿入された状態が維持されるので、カバー部材３０に意図しない圧力が作用した際に、カバー部材３０が外部接続端子４２０から外れてしまうのを確実に抑制することができる。
【００７９】
なお、第４実施形態のその他の効果は、上記第１実施形態と同様である。
【００８０】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００８１】
たとえば、上記実施形態では、インバータ装置１００（２００、３００、４００）を、複数のカバー部材３０（２３０、３３０）の互いに隣り合う部分３０ａが、貫通方向（Ｚ方向）から見て、オーバラップするように構成した例を示したが、本発明はこれに限られない。本発明では、インバータ装置を、複数のカバー部材の互いに隣り合う部分が、貫通方向から見て、オーバラップしないように構成してもよい。
【００８２】
また、上記実施形態では、上記第１〜第４実施形態では、外部接続端子２０（４２０）を、互いに隣り合うように複数設けるとともに、カバー部材３０（２３０、３３０）を、複数の外部接続端子２０（４２０）のそれぞれに対応するように複数設けるように構成した例を示したが、本発明はこれに限られない。本発明では、外部接続端子を、互いに隣り合うように複数設けるとともに、１つのカバー部材を、複数の外部接続端子に対応するように設けるように構成してもよい。
【００８３】
また、上記第１〜第４実施形態では、外部接続端子２０（４２０）を、２つ設けるとともに、カバー部材３０（２３０、３３０）を、複数の外部接続端子２０（４２０）のそれぞれに対応するように２つ設けるように構成した例を示したが、本発明はこれに限られない。本発明では、外部接続端子を、１つだけ設けるように構成してもよいし、３つ以上設けるように構成してもよい。また、カバー部材を、１つだけ設けるように構成してもよいし、３つ以上設けるように構成してもよい。
【００８４】
また、上記第１〜第４実施形態では、筐体１０が設置面に設置された状態で、外部接続端子２０（４２０）の一部が、筐体１０の外部に上方向（Ｚ１方向）に突出するように構成し、カバー部材３０（２３０、３３０）を、カバー部材開口部３１（２３１、３３１）に外部接続端子２０（４２０）を貫通させる際に、上方向（Ｚ１方向）に湾曲するように構成した例を示したが、本発明はこれに限られない。本発明では、筐体が設置面に設置された状態で、外部接続端子の一部が、筐体の外部に下方向（Ｚ２方向）、左右方向（Ｘ方向）および前後方向（Ｙ方向）等の上方向（Ｚ１方向）以外の方向に突出するように構成し、カバー部材を、カバー部材開口部に外部接続端子を貫通させる際に、下方向（Ｚ２方向）、左右方向（Ｘ方向）および前後方向（Ｙ方向）等の上方向（Ｚ１方向）以外に湾曲するように構成してもよい。
【００８５】
また、上記第４実施形態では、外部接続端子４２０を、カバー部材３０が筐体開口部１１ａを覆うように設けられた場合の、貫通方向（Ｚ方向）に直交する面内のカバー部材３０が湾曲する湾曲部分３２に対応する位置に、カバー部材３０のカバー部材開口部３１側の端部３０ｃが挿入されるスリット４２２を含むように構成した（すなわち、上記第１実施形態のインバータ装置１００の構成にスリット４２２を付加した）例を示したが、本発明はこれに限られない。本発明では、上記第２実施形態のインバータ装置２００および上記第３実施形態のインバータ装置３００の構成にスリット４２２を付加してもよい。
【００８６】
また、上記第１〜第４実施形態では、本発明の「電子機器」を、インバータ装置１００（２００、３００、４００）として構成した例を示したが、本発明はこれに限られない。本発明では、「電子機器」を、筐体の開口部から端子が突出している構成を有するインバータ装置以外の電子機器に適用してもよい。
【符号の説明】
【００８７】
１０  筐体
１１  （筐体開口部が形成された）部分
１１ａ  筐体開口部（第１開口部）
１１ｂ  （筐体開口部が形成された部分の）上面
２０、４２０  外部接続端子（端子）
２０ａ、４２０ａ  （外部接続端子の）側面
２０ｂ  （外部接続端子の上部の面取りされた）角部
２１  （外部の端子を接続するための）開口
３０、２３０、３３０  カバー部材
３０ａ  （複数のカバー部材の互いに隣り合う）部分
３０ｂ  （カバー部材の）下面
３０ｃ  （カバー部材の第２開口部側の）端部
３１、２３１、３３１  カバー部材開口部（第２開口部）
３２、２３２  湾曲部分（（カバー部材が湾曲する）部分）
３３、２３３  切り込み
１００、２００、３００、４００  インバータ装置（電子機器）
４２２  スリット（凹部）
４２２ａ  （スリットの）下面
４２２ｂ  （スリットの）上面
４２２ｃ  （スリットの湾曲部分と対向する）面
Ｌ２１  （端子の）長辺の大きさ
Ｌ２２  （端子の）短辺の大きさ
Ｌ３１、Ｌ２３１  （第２開口部の）長辺の大きさ
Ｌ３２、Ｌ２３２  （第２開口部の）短辺の大きさ
ｔ１  （筐体開口部が形成された部分の）厚み
ｔ３  （カバー部材の）厚み
【図１】
2020155311.tif 000003
【図２】
2020155311.tif 000004
【図３】
2020155311.tif 000005
【図４】
2020155311.tif 000006
【図５】
2020155311.tif 000007
【図６】
2020155311.tif 000008
【図７】
2020155311.tif 000009
【図８】
2020155311.tif 000010
【図９】
2020155311.tif 000011
【図１０】
2020155311.tif 000012
【図１１】
2020155311.tif 000013
【図１２】
2020155311.tif 000014
【図１３】
2020155311.tif 000015
【図１４】
2020155311.tif 000016
【図１５】
2020155311.tif 000017
【図１６】
2020155311.tif 000018
【図１７】
2020155311.tif 000019